(57)【要約】【課題】低コスト化を図りつつ、新たな動力源を必要とせずに堆積物及び浮上物を掻き寄せることを可能とする。【解決手段】上部掻寄架台８の復動方向及び往動方向にそれぞれ揺動可能に設けられる第１のフラップ２２ａ及び第２のフラップ２２ｂと、この第１のフラップ２２ａ及び第２のフラップ２２ｂの揺動を制限する第１のストッパー２３ａ及び第２のストッパー２３ｂと、往復動方向に延びて第１のフラップ２２ａ及び第２のフラップ２２ｂに連結される切替バー３０を備え、この切替バー３０は、第１のストッパー２３ａが第１のフラップ２２ａの上部を往動方向から係止する状態と、第２のストッパー２３ｂが第１のフラップ２２ｂの上部を往動方向から係止する状態を切り替えるように、第１のストッパー２３ａ及び第２のストッパー２３ｂと連結する。【選択図】図３
2008114172.tif 000002
【特許請求の範囲】
【請求項１】
槽内の底部で往復動する下部掻寄架台と、
前記下部掻寄架台を往復動させる駆動手段と、
前記下部掻寄架台に支持されて往復動方向に複数設けられ前記槽の底の堆積物を掻き寄せる堆積物用掻寄羽根と、
前記下部掻寄架台の上部において往復動可能に設けられる上部掻寄架台と、
前記上部掻寄架台に揺動可能に支持されて前記槽の水面に浮かぶ浮上物を復動方向に掻き寄せる浮上物用掻寄羽根と、
前記下部掻寄架台における往復動方向に離間して複数立設されて前記上部掻寄架台に当接可能なポストと、を備え、
前記駆動手段は、前記各ポストの設置間隔よりも長い間隔で前記下部掻寄架台を往復動させ、
前記上部掻寄架台は、復動時は前記ポストの復動方向の押力を受けると共に前記ポストの往動方向の押力を逃がし、往動時は前記ポストの往動方向の押力を受けると共に前記ポストの往動方向の押力を逃がすことを特徴とする掻寄装置。
【請求項２】
前記上部掻寄架台は、復動方向側において垂下され往復動方向に揺動可能に設けられる第１のフラップと、往動方向側において垂下され往復動方向に揺動可能に設けられる第２のフラップと、復動時は前記第１のフラップの往動方向の揺動を許容しつつ復動方向の揺動を阻止し、往動時は前記第２のフラップの復動方向の揺動を許容しつつ往動方向の揺動を阻止する揺動阻止部とを備えることを特徴とする請求項１に記載の掻寄装置。
【請求項３】
前記上部掻寄架台は、復動時は前記浮上物用掻寄羽根を下方に垂下させて浮上物を掻き寄せる第１揺動位置とし、往動時は前記浮上物用掻寄羽根を復動方向上方に揺動させて浮上物を掻き寄せない第２揺動位置とする揺動位置切替部を備えることを特徴とする請求項１又は２に記載の掻寄装置。
【発明の詳細な説明】
【技術分野】
【０００１】
本発明は、槽の底に堆積した堆積物を掻き寄せると共に、槽の水面に浮上する浮上物を掻き寄せる掻寄装置に関する。
【背景技術】
【０００２】
従来、例えば沈殿地等の槽の底に堆積する堆積物を効率的に掻き寄せる堆積物の掻寄装置として、揺動可能な掻寄羽根を備える掻寄架台を槽内で往復動させる掻寄装置が知られている（例えば、特許文献１参照）。
【０００３】
この掻寄装置は、掻寄架台の往動時に、掻寄羽根を垂下させた第一の状態として、槽の底の堆積物を往動方向に掻き寄せて往動方向の端にあるピットへ送り込み、掻寄架台の復動時に、槽の底の堆積物を掻寄羽根により戻さないように、掻寄羽根を第一の状態から揺動させて槽の底から離間させている。
【特許文献１】特開２００３−１８１２０９
【発明の開示】
【発明が解決しようとする課題】
【０００４】
ここで、沈殿地等にあっては、槽内の水にスカム等の浮上物が浮上するため、上記掻寄装置に、浮上物の掻寄機能を装備することが求められている。
【０００５】
本発明は、このような課題を解決するために成されたものであり、低コスト化を図りつつ、新たな動力源を必要とせずに堆積物及び浮上物を掻き寄せることが可能な掻寄装置を提供することを目的とする。
【課題を解決するための手段】
【０００６】
本発明による掻寄装置は、槽内の底部で往復動する下部掻寄架台と、下部掻寄架台を往復動させる駆動手段と、下部掻寄架台に支持されて往復動方向に複数設けられ槽の底の堆積物を掻き寄せる堆積物用掻寄羽根と、下部掻寄架台の上部において往復動可能に設けられる上部掻寄架台と、上部掻寄架台に揺動可能に支持されて槽の水面に浮かぶ浮上物を復動方向に掻き寄せる浮上物用掻寄羽根と、下部掻寄架台における往復動方向に離間して複数立設されて上部掻寄架台に当接可能なポストと、を備え、駆動手段は、各ポストの設置間隔よりも長い間隔で下部掻寄架台を往復動させ、上部掻寄架台は、復動時はポストの復動方向の押力を受けると共にポストの往動方向の押力を逃がし、往動時はポストの往動方向の押力を受けると共にポストの往動方向の押力を逃がすことを特徴とする。
【０００７】
本発明による掻寄装置では、各ポストが往復動することにより、上部掻寄架台を復動させるときは、各ポストが上部掻寄架台を順次復動方向に押し、上部掻寄架台を往動させるときは、各ポストが上部掻寄架台を順次往動方向に押す。このため、下部掻寄架台の往復動により槽の底の堆積物を往動方向に掻き寄せると共に、上部掻寄架台は、下部掻寄架台を往復動する駆動部の駆動力とは別の駆動力を必要とせずに、水面に浮上する浮上物を復動方向に掻き寄せることが可能となるため、低コスト化を図りつつ、堆積物及び浮上物を掻き寄せることが可能となる。
【０００８】
ここで、上記上部掻寄架台は、復動方向側において垂下され往復動方向に揺動可能に設けられる第１のフラップと、往動方向側において垂下され往復動方向に揺動可能に設けられる第２のフラップと、復動時は第１のフラップの往動方向の揺動を許容しつつ復動方向の揺動を阻止し、往動時は第２のフラップの復動方向の揺動を許容しつつ往動方向の揺動を阻止する揺動阻止部とを備えることが好ましい。この掻寄装置によれば、上部掻寄架台を復動させるときは、各ポストが順次第１のフラップを押すことで上部掻寄架台を最も復動方向側に設けられるポストまで復動させることができ、上部掻寄架台を往動させるときは、各ポストが順次第２のフラップを押すことで上部掻寄架台を最も往動方向側に設けられるポストまで往動させることができる。このように、上部掻寄架台の往復動を、簡易な構成で成すことができるため、低コスト化を図りつつ、浮上物を掻き寄せることが可能となる。
【０００９】
また、上記上部掻寄架台は、復動時は浮上物用掻寄羽根を下方に垂下させて浮上物を掻き寄せる第１揺動位置とし、往動時は浮上物用掻寄羽根を復動方向上方に揺動させて浮上物を掻き寄せない第２揺動位置とする揺動位置切替部を備えることが好ましい。この掻寄装置によれば、往動時は浮上物を掻き寄せないため、駆動部を往復動させることで、浮上物を復動方向側に掻き寄せることが可能となる。
【発明の効果】
【００１０】
このように本発明によれば、低コスト化を図りつつ、新たな動力源を必要とせずに堆積物及び浮上物を掻き寄せることが可能な掻寄装置提供することができる。
【発明を実施するための最良の形態】
【００１１】
以下、本発明による沈殿装置の好適な実施形態について図面を参照しながら説明する。図１は、本発明の実施形態に係る掻寄装置１を示す概略上面図、図２は、掻寄装置を示す概略側面図、図３は、槽の往動方向端部に位置する上部掻寄架台を示す側面図、図４は、図３の上部掻寄架台を示す上面図、図５は、槽の復動方向端部に位置する上部掻寄架台を示す側面図、図６は、図４の上部掻寄架台を示す側面図である。
【００１２】
図１及び図２に示すように、本実施形態の掻寄装置１は、例えば、下水処理場の沈殿池等に配置され、槽（沈殿池）２の底面２ａに堆積する汚泥等の堆積物を汚泥ピット２ｂに向けて掻き寄せ、槽２の水面３に浮上するスカム等の浮上物をスカムパイプ４（浮上物の排出位置）に向けて掻き寄せるものである。
【００１３】
この掻寄装置１は、槽２内を往復動する下部掻寄架台５と、この下部掻寄架台５の下部側に揺動可能に支持され、槽２の底面２ａに堆積した堆積物を掻き寄せる複数のフライト（堆積物用掻寄羽根）６と、下部掻寄架台５を槽２の底面２ａに対して略平行に往復運動させる駆動部（駆動手段）７と、下部掻寄架台５の上部側において往復動可能に設けられる上部掻寄架台８と、この上部掻寄架台８に揺動可能に支持されて水面３に浮上した浮上物を掻き寄せるスカムプレート（浮上物用掻寄羽根）９と、を具備している。なお、本実施形態においては、下部掻寄架台５や上部掻寄架台８が往復動する方向を往復動方向とし、この往復動方向に直交する方向を幅方向とする。
【００１４】
槽２は、横断面矩形状を成し、図１及び図２の左側から汚水が供給され、槽２の汚水供給側底部には、汚泥ピット２ｂが設けられ、下流側の水面３には、軸回りに回転可能なスカムパイプ４が槽２の幅全域に亘って横置きされ、槽２における長手方向の一対の側壁２ｃには、それぞれ、上部掻寄架台８が載置される水面３と平行なガイドレール１０が設けられている。このスカムパイプ４の上面には、周面に長手方向に延びる開口４ａを備えている。
【００１５】
下部掻寄架台５は、詳しく図示しないが特許文献１（特開２００３−１８１２０９号公報）に記載のものと同様であり、駆動部７の駆動により、槽２の流れ方向に往復動する。そして、下部掻寄架台５に設けられるフライト６は、下部掻寄架台５の往復動方向に沿って一定間隔で設けられており、往動時には下方に垂下した状態に固定され、復動時には往動方向上方に持ち上げられる構造となっている。そのため、駆動部７が各フライト６の間隔以上の間隔で往復動を行うことで、各フライト６が堆積物を順送りし、汚泥ピット２ｂに掻き寄せて排出する。なお、駆動部７も特許文献１などの公知の駆動部を用いている。
【００１６】
また、下部掻寄架台５の上部には、水面３に向かって上方に延びる複数の牽引ポスト１１が、各フライト６に対応した位置であって幅方向両端部にそれぞれ立設されている。牽引ポスト１１は、往復動方向に３本設けられており、往動方向側から順に、第１の牽引ポスト１１ａ、第２の牽引ポスト１１ｂ、第３の牽引ポスト１１ｃとする。
【００１７】
上部掻寄架台８は、図３〜６に示すように、往復動方向に延在する一対の平行な駆動方向材１２と、この２本の駆動方向材１２に対して垂直に配置されて矩形の枠を形成する一対の平行材１３と、復動方向の平行材１３の幅方向両端部において復動方向に突出する一対の支持台１４ａと、往動方向の平行材１３の幅方向両端部において往動方向に突出する一対の支持台１４ｂと、を有している。
【００１８】
一対の駆動方向材１２には、側壁２ｃに向かって延びるローラ１５が設けられており、このローラ１５がガイドレール１０上を転動することで、上部掻寄架台８が、槽２の復動側端部（図１右側）に位置する第１往復動位置８ａから、槽２の往動側端部（図１左側）に位置する第２往復動位置８ｂまで往復動する。また、一対の駆動方向材１２には、一対の駆動方向材１２に掛け渡すように平行材１３と平行に配置されて回転可能な回転軸１６が設けられている。この回転軸１６の両端部には、上下方向に延びる一対のアーム１７がそれぞれ設けられており、この一対のアーム１７の復動方向側下端部には、水面３に浮かぶ浮上物を掻き寄せる板状のスカムプレート９が設けられている。そして、アーム１７は、スカムプレート９が水面３下まで下方に垂下される第１揺動位置（図３参照）から、スカムプレート９が復動方向において水面３より上方に持ち上げられる第２揺動位置（図５参照）まで揺動する。
【００１９】
また、掻寄装置１においては、図１〜図６に示すように、アーム１７に設けられた係止アーム１８と、この係止アーム１８と当接してアーム１７を第二揺動位置に維持させる回動可能なカムプレート２１と、アーム１７を揺動動作させるべく槽２に設けられた揺動ガイド２９と、カムプレート２１を回動動作させるべく槽２に設けられたホールドピン２７及びリセットピン２８と、を備えている。
【００２０】
係止アーム１８は、アーム１７の回転軸１６から往動方向に延びるように設けられており、略中央が斜め上方に屈曲されたブーメラン形状の板である。この係止アーム１８には、カムプレート２１と当接する係止部１９が係止アーム１８の先端部上面に設けられている。この係止部１９は、図５に示すように、アーム１７が第２揺動位置にあるときに、係止部１９は一対の駆動方向材１２よりも下方に位置して、係止部１９の上面が一対の駆動方向材１２と平行になるように設けられている。
【００２１】
揺動ガイド２９は、図１、図２及び図５に示すように、往動方向下方を向く傾斜面２９ａと、この傾斜面２９ａの下端から復動方向を向いて水面と平行に延びる水平面２９ｂとを備えて構成されている。そして、揺動ガイド２９は、上部掻寄架台８が復動する際に、第１往復動位置８ａ付近でアーム１７の上端が傾斜面２９ａに当接し、上部掻寄架台８が第１往復動位置８ａまで移動すると、アーム１７の上端が水平面２９ｂに当接した状態になる位置に設けられている。
【００２２】
カムプレート２１は、略中央が屈曲されたブーメラン形状の板である。そして、カムプレート２１は、図３及び図５に示すように、一対の駆動方向材１２の下面から下方に延びる回転軸２０により、その屈曲部が回転可能に支持されている。また、カムプレート２１は、図４に示すように、内側の一端部２１ａが回転軸２０よりも往動方向側（図示左側）を向いている場合に、外側の他端部２１ｂが側壁２ｃ側（又は、回転軸２０よりも復動方向側）を向くように屈曲されている。ここで、このような図４のときのカムプレート２１の回動位置をカムプレート２１のリセット位置と呼ぶ。そして、カムプレート２１は、図６に示すように、内側の一端部２１ａが側壁２ｃの反対側（又は、回転軸２０よりも復動方向側）を向いている場合に、外側の他端部２１ｂが回転軸２０よりも往動方向側を向くように屈曲されている。ここで、このような図６のときのカムプレート２１の回動位置をカムプレート２１のホールド位置と呼ぶ。
【００２３】
ホールドピン２７は、図６に示すように、カムプレート２１の他端部２１ｂに当接してカムプレート２１を回転させる棒状のピンである。このホールドピン２７は、復動方向先端付近に設けられており、上部掻寄架台８が復動する際に、アーム１７の上端が揺動ガイド２９に当接するタイミングに遅れたタイミングで、第１往復動位置８ａ付近でカムプレート２１の他端部２１ｂの復動側に当接し、上部掻寄架台８が第１往復動位置８ａまで移動すると、カムプレート２１をホールド位置まで回転させる位置に設けられている。
【００２４】
リセットピン２８は、図４に示すように、カムプレート２１の他端部２１ｂに当接してカムプレート２１を回転させる棒状のピンである。このリセットピン２８は、往動方向先端付近に設けられており、上部掻寄架台８が往動する際に、第２往復動位置８ｂ付近でカムプレート２１の他端部２１ｂの往動側に当接し、上部掻寄架台８が第２往復動位置８ｂまで移動すると、カムプレート２１をリセット位置まで回転させる位置に設けられている。
【００２５】
また、掻寄装置１においては、図１〜図６に示すように、２つの支持台１４ａにそれぞれ揺動可能に設けられる第１のフラップ２２ａと、この第１のフラップ２２ａの揺動を制限する第１のストッパー２３ａと、２つの支持台１４ｂにそれぞれ揺動可能に設けられる第２のフラップ２２ｂと、この第２フラップ２２ｂの揺動を制限する第２のストッパー２３ｂと、往復動方向に延びて第１のフラップ２２ａ及び第２のフラップ２２ｂに連結される切替バー３０と、槽２の復動方向端部に設けられる切替壁３１ａと、槽２の往動方向端部に設けられる切替壁３１ｂと、を備えている。
【００２６】
第１のフラップ２２ａは、図３及び図５に示すように、上部掻寄架台８の上下方向に延びて、支持台１４ａに設けられた回転軸３２ａにより往復動方向に揺動可能に支持されている。第１のフラップ２２ａの下端は、往復動する牽引ポスト１１に当接する位置まで延びている。
【００２７】
第１のストッパー２３ａは、第１のフラップ２２ａの下端が下方を向いた位置から復動方向に揺動しないように、第１のフラップ２２ａの上端を往動方向から支持するものである。第１のストッパー２３ａは、図４及び図６に示すように、支持台１４ａの上部に載置固定された補助板３３ａから側壁２ｃに向けて延びる回転軸２４ａにより、揺動可能に支持されている。そして、第１のストッパー２３ａには、回転軸２４ａから往動方向に延びて第１のフラップ２２ａの上端部を往動方向から係止するフック部２５ａと、上下方向に長い穴２６ａが形成されて回転軸２４ａから下方に延びる切替バー連結部３６ａとが形成されている。
【００２８】
第２のフラップ２２ｂは、図３及び図５に示すように、上部掻寄架台８の上下方向に延びて、支持台１４ｂに設けられた回転軸３２ｂにより往復動方向に揺動可能に支持されている。第２のフラップ２２ｂの下端は、往復動する牽引ポスト１１に当接する位置まで延びている。
【００２９】
第２のストッパー２３ｂは、第２のフラップ２２ｂの下端が下方を向いた位置から往動方向に揺動しないように、第１のフラップ２２ａの上端を復動方向から支持するものである。第２のストッパー２３ｂは、図４及び図６に示すように、支持台１４ｂの上部に載置固定された補助板３３ｂから側壁２ｃに向けて延びる回転軸２４ｂにより、揺動可能に支持されている。そして、第２のストッパー２３ｂには、回転軸２４ｂから往復動方向に延びて第２のフラップ２２ｂの上端部を復動方向から係止するフック部２５ｂと、上下方向に長い穴２６ｂが形成されて回転軸２４ｂから下方に延びる切替バー連結部３６ｂとが形成されている。
【００３０】
切替バー３０は、図３〜図６に示すように、往復動方向に延びる棒状に形成されており、一対の平行材１３の幅方向両端部にそれぞれ載置固定された切替バー保持部３４により、往復動方向に対して摺動可能に保持されている。
【００３１】
また、切替バー３０には、第１のストッパー２３ａの穴２６ａ及び第２のストッパー２３ｂの穴２６ｂに対応する位置に、これらの穴２６ａ，２６ｂに挿入される凸部３５ａ，３５ｂが設けられている。そして、切替バー３０は、第１のストッパー２３ａのフック部２５ａが第１のフラップ２２ａを係止したときに第２のストッパー２３ｂのフック部２５ｂが第１のフラップ２２ｂの係止を解除し（図３参照）、第２のストッパー２３ｂのフック部２５ｂが第１のフラップ２２ｂを係止するときに第１のストッパー２３ａのフック部２５ａが第１のフラップ２２ａの係止を解除（図５参照）するように、第１のストッパー２３ａと第２のストッパー２３ｂとに連結されている。ここで、このような図３に示す切替バー３０、第１のストッパー２３ａ及び第２のストッパー２３ｂの位置を第１のストッパー位置と呼び、図５に示す切替バー３０、第１のストッパー２３ａ及び第２のストッパー２３ｂの位置を第２のストッパー位置と呼ぶ。そして、切替バー３０が往動方向に移動することで、第１のストッパー２３ａ及び第２のストッパー２３ｂは、同期して動方向に揺動し、第１ストッパー位置と第２ストッパー位置との間で切り替わる。
【００３２】
切替壁３１ａは、槽２の復動方向先端付近であって、図１、図５及び図６に示すように、復動してくる上部掻寄架台８の切替バー３０が当接する壁であり、上部掻寄架台８が第１往復動位置８ａに位置するときに、切替バー３０が当接して往動方向に押され、第１のストッパー２３ａ及び第２のストッパー２３ｂが第１のストッパー位置となる位置に設けられている。一方、切替壁３１ｂは、往動してくる上部掻寄架台８の切替バー３０が当接する壁であり、図１、図３及び図４に示すように、槽２の往動方向先端付近であって、上部掻寄架台８が第２往復動位置８ｂに位置するときに、切替バー３０が当接して復動方向に押され、第１のストッパー２３ａ及び第２のストッパー２３ｂが第２のストッパー位置となる位置に設けられている。
【００３３】
続いて、掻寄装置１の動作について図面を参照しながら説明する。
【００３４】
駆動部７が、フライト６の設置間隔よりも長い距離で、下部掻寄架台５を往復動方向に駆動する。例えば、各フライト６の設置間隔が４０００ｍｍである場合は、駆動部７は、４７００ｍｍの距離で下部掻寄架台５を往復動方向に駆動する。下部掻寄架台５は往復動方向に移動し、フライト６が槽２の底に堆積する堆積物を汚泥ピット２ｂまで掻き寄せる。
【００３５】
そして、上部掻寄架台８が第２往復動位置８ｂに位置して、アーム１７が第１揺動位置、カムプレート２１がリセット位置、第１のストッパー２３ａ及び第２のストッパー２３ｂが第１のストッパー位置にそれぞれある状態で、下部掻寄架台５が復動方向に移動すると、牽引ポスト１１も同様に復動方向に移動し、図７に示すように、第１の牽引ポスト１１ａが第１のフラップ２２ａの下部に当接する。第１のフラップ２２ａの上端はストッパー２３ａにより往動方向への揺動が制限されているため、第１の牽引ポスト１１ａは、第１のフラップ２２ａを押して、上部掻寄架台８を第１の牽引ポスト１１ａの復動限界位置（図８の８ｃ参照）まで復動させる。
【００３６】
その後、第１の牽引ポスト１１ａは往動方向の移動に切り替わるが、第２のフラップ２２ｂの下端部は往動方向に揺動可能であるため、第１の牽引ポスト１１ａは、上部掻寄架台８を往動方向に移動させること無く、第２のフラップ２２ｂを揺動させて往動方向に移動していく。そして、第２の牽引ポスト１１ｂが上部掻寄架台８の復動方向側から移動してくるが、第１のフラップ２２ａの下端部は往動方向に揺動可能であるため、第２の牽引ポスト１１ｂは、上部掻寄架台８を往動方向に移動させること無く、フラップ２２ｂを揺動させて第１のフラップ２２ａと第２のフラップ２２ｂとの間に移動してくる。
【００３７】
その後、第２の牽引ポスト１１ｂが復動方向の移動に切り替わり、この第２の牽引ポスト１１ｂが上部掻寄架台８の第１のフラップ２２ａを復動方向に押すことで、上部掻寄架台８が復動方向に移動する。
【００３８】
このように、上部掻寄架台８は、図８に示すように、第１の牽引ポスト１１ａ〜第３の牽引ポスト１１ｃにより順次復動方向に移動され、第１往復動位置８ａから、８ｃ、８ｄを経て、第２往復動位置８ｂまで移動する。
【００３９】
上部掻寄架台８が第２往復動位置８ｂに近づくと、図９（ａ）に示すように、アーム１７の上端が揺動ガイド２９の傾斜面２９ａに当接する。上部掻寄架台８が復動方向に更に移動すると、図９（ｂ）に示すように、アーム１７及び係止アーム１８が回転軸１６回りに揺動し始めて揺動角度が徐々に大きくなり、同時に、カムプレート２１の他端部２１ｂがホールドピン２７に当接して回転し始める。
【００４０】
そして、上記上部掻寄架台８が第２往復動位置８ｂまで移動すると、図５、図６及び図９（ｃ）に示すように、アーム１７の上端は揺動ガイド２９の水平面２９ｂに到達してアーム１７が第２揺動位置となり、係止アーム１８の上面に設けられている係止部１９が水平となる。また、カムプレート２１は、ホールドピン２７により回転されてホールド位置に切り替えられ、カムプレート２１の一端部２１ａが係止部１９の上面に当接し、このカムプレート２１によりアーム１７が第２揺動位置で保持される。また、切替バー３０は、切替壁３１ａに当接して往動方向に押され、第１のストッパー２３ａ及び第２のストッパー２３ｂが第２のストッパー位置に切り替えられる。
【００４１】
その後、第３の牽引ポスト１１ｃが往動方向に移動すると、図１０に示すように、アーム１７がカムプレート２１により第２揺動位置に保持された状態のまま、第３の牽引ポスト１１ｃが第２のフラップ２２ｂの下部に当接する。第２のフラップ２２ｂの上端はストッパー２３ｂにより復動方向への揺動が制限されるように切り替えられているため、第３の牽引ポスト１１ｃは、上部掻寄架台８の第２のフラップ２２ｂを押して、第３の牽引ポスト１１ｃの往動限界位置（図８の８ｅ参照）まで往動させる。
【００４２】
そして、第３の牽引ポスト１１ｃは復動方向の移動に切り替わるが、第１のフラップ２２ａの下端部は復動方向に揺動可能に切り替えられているため、第３の牽引ポスト１１ｃは、上部掻寄架台８を復動方向に移動させること無く、第２のフラップ２２ａを揺動させて復動方向に移動していく。そして、第２の牽引ポスト１１ｂが上部掻寄架台８の往動方向側から移動してくるが、第２のフラップ２２ｂの下端部は復動方向に揺動可能であるため、第２の牽引ポスト１１ｂは、上部掻寄架台８を復動方向に移動させること無く、フラップ２２ｂを揺動させて第１のフラップ２２ａと第２のフラップ２２ｂとの間に移動してくる。
【００４３】
その後、第２の牽引ポスト１１ｂが往動方向の移動に切り替わり、この第２の牽引ポスト１１ｂが上部掻寄架台８の第２のフラップ２２ｂを往動方向に押すことで、上部掻寄架台８が往動方向に移動する。
【００４４】
このように、上部掻寄架台８は、図８に示すように、第３の牽引ポスト１１ｃ〜第１の牽引ポスト１１ａにより順次往動方向に移動され、第２往復動位置８ｂから、８ｅ、８ｆを経て、第１往復動位置８ａまで移動する。
【００４５】
上部掻寄架台８が第１往復動位置８ａに近づくと、カムプレート２１の他端部２１ｂがリセットピン２８に当接して回転し始める。
【００４６】
そして、上記上部掻寄架台８が第１往復動位置８ａまで移動すると、図３及び図４に示すように、カムプレート２１は、リセットピン２８により回転されてリセット位置に切り替えられ、カムプレート２１によるアーム１７の保持が解除されて、アーム１７は第１揺動位置に切り替えられる。また、切替バー３０は、切替壁３１ｂに当接して復動方向に押され、第１のストッパー２３ａ及び第２のストッパー２３ｂが第１のストッパー位置に切り替えられ、元の状態に戻される。
【００４７】
このように、掻寄装置１では、各牽引ポスト１１ａ〜１１ｃが往復動することにより、上部掻寄架台８を復動させるときは、各牽引ポスト１１ａ〜１１ｃが上部掻寄架台８を順次復動方向に押して第１往復動位置８ａまで移動させ、上部掻寄架台を往動させるときは、各牽引ポスト１１ｃ〜１１ａが上部掻寄架台８を順次往動方向に押して第２往復動位置８ｂまで移動させる。このため、下部掻寄架台５を往復動することにより、下部掻寄架台５は、槽２の底の堆積物を往動方向に掻き寄せると共に、上部掻寄架台８は、駆動部７とは別の駆動力を必要とすることなく水面に浮上する浮上物を復動方向に掻き寄せることが可能となるため、低コスト化を図りつつ、堆積物及び浮上物を掻き寄せることが可能となる。
【００４８】
また、この掻寄装置１では、上部掻寄架台８に、各牽引ポスト１１ａ〜１１ｃに当接する第１のフラップ２２ａ及び第２のフラップ２２ｂを設け、この第１のフラップ２２ａ及び第２のフラップ２２ｂの揺動を制限する第１のストッパー２３ａ及び第２のストッパー２３ｂと、この第１のストッパー２３ａ及び第２のストッパー２３ｂに連結される切替バー３０を備えることで、上部掻寄架台８を復動させるときは、各牽引ポスト１１ａ〜１１ｃが順次第１のフラップ２２ａを押すことで上部掻寄架台８を第１の往復動位置８ａまで復動させることができ、上部掻寄架台８を往動させるときは、各牽引ポスト１１ｃ〜１１ａが順次第２のフラップ２２ｂを押すことで上部掻寄架台８を第２の往復動位置８ｂまで往動させることができる。このように、上部掻寄架台８の往復動を、簡易な構成で成すことができるため、低コスト化を図りつつ、浮上物を掻き寄せることが可能となる。
【００４９】
また、この掻寄装置１では、上部掻寄架台８を往動させるときは、アーム１７を揺動させてスカムプレート９を水面３より上方に持ち上げるため、駆動部７を往復動させることで、浮上物を往動方向に掻き寄せることなく、浮上物を復動方向側に掻き寄せることが可能となる。
【００５０】
以上、本発明をその実施形態に基づき具体的に説明したが、本発明は上記実施形態に限定されるものではなく、例えば、上記実施形態においては、堆積物を往動方向に掻き寄せ、浮上物を復動方向に掻き寄せるように説明したが、堆積物を往動方向に掻き寄せて、浮上物を復動方向に掻き寄せても良く、堆積物と浮上物を何れか一方の同じ方向に掻き寄せても良い。
【００５１】
また、上記実施形態においては、牽引ポスト１１の数を往復動方向に３本設けることとしたが、特に牽引ポスト１１の数は限定されるものではなく、槽２の長さや駆動部７の制御量等に応じて適宜本数を変更しても良い。
【図面の簡単な説明】
【００５２】
【図１】本発明の実施形態に係る掻寄装置を示す概略上面図である。
【図２】掻寄装置を示す概略側面図である。
【図３】槽の往動方向端部に位置する上部掻寄架台を示す側面図である。
【図４】図３の上部掻寄架台を示す上面図である。
【図５】槽の復動方向端部に位置する上部掻寄架台を示す側面図である。
【図６】図４の上部掻寄架台を示す側面図である。
【図７】上部掻寄架台の復動を示す図である。
【図８】上部掻寄架台と牽引ポストの関係を示す図である。
【図９】アーム、係止アーム、カムプレート及び揺動ガイドの関係を示す図である。
【図１０】上部掻寄架台の往動を示す図である。
【符号の説明】
【００５３】
１…掻寄装置、２…槽、５…下部掻寄架台、６…フライト（堆積物用掻寄羽根）、７…駆動手段、８…上部掻寄架台、９…スカムプレート（浮上物用掻寄羽根）、１１…牽引ポスト、１７…アーム（揺動位置切替部）、１８…係止アーム（揺動位置切替部）、２０…カムプレート（揺動位置切替部）、２２ａ…第１のフラップ、２２ｂ…第２のフラップ、２３ａ…第１のストッパー（揺動阻止部）、２３ｂ…第２のストッパー（揺動阻止部）、３０…切替バー（揺動阻止部）。
【図１】
2008114172.tif 000003
【図２】
2008114172.tif 000004
【図３】
2008114172.tif 000005
【図４】
2008114172.tif 000006
【図５】
2008114172.tif 000007
【図６】
2008114172.tif 000008
【図７】
2008114172.tif 000009
【図８】
2008114172.tif 000010
【図９】
2008114172.tif 000011
【図１０】
2008114172.tif 000012